(57)【要約】【課題】カラオケの歌い手が自分の希望する設定条件にてカラオケで歌唱中の自分のオリジナル動画を作成してユーザの娯楽性を改善すると共にカラオケ店の集客力を改善するカラオケシステムを提供する。【解決手段】  カラオケ店に備えられた撮影装置（カメラ）５２を利用して歌い手が自己の希望に応じて撮影条件を設定し且つマイクに内蔵された歌い手位置センサ５５の位置情報に基づいて歌い手自身の姿及び音声を合成したオリジナル動画をオリジナル動画作成装置２０により作成し、映像配信サーバ４０にユーザ毎のファイルとして格納する。この映像配信サーバ４０には、予め登録したユーザがインターネット６２等の通信手段を介してアクセス可能である。【選択図】図１
2008286912.tif 000002
【特許請求の範囲】
【請求項１】
映像及び歌詞を表示画面に順次表示する映像部と、該映像部の表示画面に表示された歌詞に従って歌唱する歌い手の歌声を出力する音声部とを含むカラオケシステムにおいて、
前記歌い手が予め設定した撮影条件で前記歌唱中の歌い手自身の映像を撮影する撮影装置と、該撮影装置により撮影された映像を前記音声と合成してオリジナル動画を作成する動画作成装置とを備えることを特徴とするカラオケシステム。
【請求項２】
映像及び歌詞を表示画面に順次表示する映像部と、該映像部の表示画面に表示された歌詞に従って歌唱する歌い手の歌声を出力する音響部とを含むカラオケシステムにおいて、
前記歌い手が予め設定した撮影条件で前記歌唱中の歌い手自身の映像を撮影する撮影装置と、該撮影装置で撮影された映像を前記音声と合成してオリジナル動画を作成する動画作成装置と、該動画作成装置で作成された前記オリジナル動画をファイルとして格納して配信する映像配信サーバとを備えることを特徴とするカラオケシステム。
【請求項３】
前記撮影装置は、前記歌い手が使用するマイクに内蔵された歌い手位置検出センサで検出された位置情報に基づき撮影することを特徴とする請求項１又は２に記載のカラオケシステム。
【請求項４】
前記撮影装置で撮影する映像のズーミング、角度、照明等の撮影条件を設定する撮影条件設定手段を含むことを特徴とする請求項１、２又は３に記載のカラオケシステム。
【請求項５】
前記映像配信サーバは、前記動画作成装置で作成されたオリジナル動画を記録媒体に記録して前記歌い手を含む予め決められたユーザに提供可能にすることを特徴とする請求項２、３又は４に記載のカラオケシステム。
【請求項６】
前記映像配信サーバに予め登録されたユーザが、インターネットを含む通信手段により前記映像配信サーバにアクセスして前記オリジナル動画の配信サービスを受けられることを特徴とする請求項２乃至５の何れかに記載のカラオケシステム。
【請求項７】
予め登録したユーザは、インターネットを含む通信手段を介して前記動画作成装置にアクセスして該動画作成装置で作成されるオリジナル動画をリアルタイムで受信可能にすることを特徴とする請求項２乃至５の何れかに記載のカラオケシステム。
【発明の詳細な説明】
【技術分野】
【０００１】
本発明はカラオケシステムに関し、撮影装置によりカラオケルーム等で歌唱中の歌い手自身の姿を撮影して音声と合成してオリジナル映像を作成可能なカラオケシステムに関する。
【背景技術】
【０００２】
カラオケは、今やカラオケバー等のビジネスとしてのみならず家庭等にも普及して大衆娯楽の一翼を担っている。特に業務用のカラオケ装置は、ユーザである歌い手が希望する曲を注文し、その歌詞を含む映像をカラオケサーバから通信回線を介して受信（ダウンロード）する通信カラオケ又はカラオケ配信サービスの利用が一般的となっている。斯かるカラオケ配信サービスの利用により、各カラオケ装置の記録媒体に多数の曲を記録保存することなく、歌い手の要求（注文）に基づき必要な曲の歌詞及びそれに付随する映像の配信サービスを受け、それを記録媒体にダウンロードして再生すれば足りる。
【０００３】
斯かるカラオケ配信サービスの利用により、コンピュータとカラオケ再生装置を備えるのみで比較的簡単にカラオケを楽しむことが可能である。しかし、カラオケ配信サービスで楽しめるのは、それぞれ離れた場所に点在するカラオケ店（カラオケバー、カラオケボックス等）内又はその各個室（ルーム）の観客のみに限定され、その場にいない仲間（又は他のカラオケ愛好家）と娯楽を共有又は自分の歌を他人にアピールすることができないという限界があった。
【０００４】
斯かるカラオケの限界を改善してより多くのカラオケ愛好家と共有するための関連するカラオケ技術が、幾つかの技術文献に開示されている。ライブ出演希望者のカラオケによる歌唱（パフォーマンス）を整理して視聴希望者にインターネットを介して出演者（歌い手）の映像及び歌声を含むストリームデータをカラオケライブとしてマルチキャスト配信するカラオケライブ配信サービス方法が開示されている（例えば、特許文献１参照。）。
【０００５】
また、カラオケボックス等を利用して撮影された画像及び音声を録音してファイルとして記録部に保存し、この保存されたファイルを電子メールにより個人間で配信し、新たなコミュニケーション手段を開拓するカラオケ音声画像送信システムが開示されている（例えば、特許文献２参照。）。更に、歌唱者の歌唱する姿をビデオカメラで、楽曲に合ったカメラワークで撮影して記録する機能を備える歌唱する姿をビデオカメラで撮影して記録する機能を付加したカラオケ装置が開示されている（例えば、特許文献３参照。）。
【特許文献１】特開２００４−２９４５９号公報（第４頁、第１図）
【特許文献２】特開２００４−６９９２３号公報（第５−６頁、第１図）
【特許文献３】特開平１１−２８２４７９号公報（第３−４頁、第１図）
【発明の開示】
【発明が解決しようとする課題】
【０００６】
従来では、カラオケ店でユーザが歌った音声を録音できる機器が使用されているが、ユーザが歌っている、またユーザのまわりの他ユーザ（観客）の動画と音声（歌）を録音できるものはない。その場合、ユーザが録画できるビデオカメラを持参せねばならず、録画した動画を編集するにはユーザは自宅のＰＣにて編集しなければならなかった。また、カラオケ店では、ユーザは録音した音声をテープやＣＤのみに保存していた。よって、ライブ機能と即時性のあるポータビリティに欠けており、カラオケボックスにいない人はボックス内の歌や動画をＬＩＶＥに楽しめる手段がなかった。
【０００７】
従来のカラオケビジネスで提供されるカラオケ装置は、ただ歌を歌う機能を提供するのみであり、ユーザが付加価値として得られるサービスがなかった。また、歌詞が表示されるモニタには、予め録画された動画が表示され、ユーザを主人公とした映像が表示されていないため、ユーザには見る楽しみが余り提供できなかった。
【０００８】
本発明は、従来技術の上述した課題に鑑みなされたものであり、斯かる課題を解消又は軽減し、カラオケ店及びそのユーザに付加価値を加えると共に娯楽性を一層改善すると共にカラオケ店の集客力の改善が期待できるカラオケシステムを提供することを主たる目的とする。
【課題を解決するための手段】
【０００９】
前述の課題を解決するため本発明によるカラオケシステムは、次のような特徴的な構成を採用している。
【００１０】
（１）映像及び歌詞を表示画面に順次表示する映像部と、該映像部の表示画面に表示された歌詞に従って歌唱する歌い手の歌声を出力する音声部とを含むカラオケシステムにおいて、
前記歌い手が予め設定した撮影条件で前記歌唱中の歌い手自身の映像を撮影する撮影装置と、該撮影装置により撮影された映像を前記音声と合成してオリジナル動画を作成する動画作成装置とを備えるカラオケシステム。
（２）映像及び歌詞を表示画面に順次表示する映像部と、該映像部の表示画面に表示された歌詞に従って歌唱する歌い手の歌声を出力する音響部とを含むカラオケシステムにおいて、
前記歌い手が予め設定した撮影条件で前記歌唱中の歌い手自身の映像を撮影する撮影装置と、該撮影装置で撮影された映像を前記音声と合成してオリジナル動画を作成する動画作成装置と、該動画作成装置で作成された前記オリジナル動画をファイルとして格納して配信する映像配信サーバとを備えるカラオケシステム。
（３）前記撮影装置は、前記歌い手が使用するマイクに内蔵された歌い手位置検出センサで検出された位置情報に基づき撮影する上記（１）又は（２）のカラオケシステム。
（４）前記撮影装置で撮影する映像のズーミング、角度、照明等の撮影条件を設定する撮影条件設定手段を含む上記（１）、（２）又は（３）のカラオケシステム。
（５）前記映像配信サーバは、前記動画作成装置で作成されたオリジナル動画を記録媒体に記録して前記歌い手を含む予め決められたユーザに提供可能にする上記（２）、（３）又は（４）のカラオケシステム。
（６）前記映像配信サーバに予め登録されたユーザが、インターネットを含む通信手段により前記映像配信サーバにアクセスして前記オリジナル動画の配信サービスを受けられる上記（２）乃至（５）の何れかのカラオケシステム。
（７）予め登録したユーザは、インターネットを含む通信手段を介して前記動画作成装置にアクセスして該動画作成装置で作成されるオリジナル動画をリアルタイムで受信可能にする上記（２）乃至（５）の何れかのカラオケシステム。
【発明の効果】
【００１１】
本発明のカラオケシステムによると、次の如き実用上の特有の効果を奏する。即ち、ユーザである歌い手は、カラオケ店に備え付けの撮影装置（カメラ）により予め歌い手自身が設定する撮影条件で歌唱中の自己の映像を自己の演出で撮影して音声（歌声）を含むオリジナル動画を作成することが可能であるので、恰も自分が歌手であるかの如き満足感が得られる。また、歌い手が使用するマイクに内蔵した歌い手位置センサにより歌い手の位置にカメラを自動的に合わせるので、他人の手を借りることなく、自動的且つ歌い手自身の希望するオリジナル動画が得られる。斯かるオリジナル動画は、映像配信サーバでＤＶＤ等の記録媒体に記録して受け取るか又はインターネット等の通信回線を介して受信してユーザのＰＣや携帯電話にダウンロードすることができ、仲間同士のコミュニケーション手段として利用可能である。これにより、従来のカラオケ装置の娯楽性を高めると共にカラオケ店の集客力を高めることが期待できる。
【発明を実施するための最良の形態】
【００１２】
以下、本発明によるカラオケシステムの好適な実施例の構成及び動作を、添付図面を参照して詳細に説明する。
【００１３】
先ず、図１は、本発明によるカラオケシステムの好適な実施例の全体構成を示すブロック図である。このカラオケシステム１０は、オリジナル動画作成装置２０、カラオケ通信装置３０、映像配信サーバ４０、ユーザインタフェースであるユーザリモコン５１、室内カメラ（撮影装置、以下単にカメラという）５２、照明装置５３、ディスプレイ（表示装置）５４、歌い手位置センサ５５及びルータスイッチ６０により構成されている。更に、このカラオケシステム１０では、ルータスイッチ６０が通信手段であるインターネット６２を介して外部又はリモートユーザのＰＣ６３及び／又は携帯電話６４に接続可能に構成されている。
【００１４】
図１に示す如く、カメラ５２、照明装置５３、ディスプレイ５４及び歌い手位置センサ５５は、オリジナル動画作成装置２０に接続されている。更に、オリジナル動画作成装置２０は、カラオケ通信装置（又は通信カラオケ装置）３０及びルータスイッチ６０に接続されている。ユーザリモコン５１は、好ましくは無線によりオリジナル動画作成装置２０及びカラオケ通信装置３０に接続され、カラオケの歌い手によるこれら両装置２０、３０の操作又は制御を可能にする。オリジナル動画作成装置２０は、ＬＡＮ（ローカルエリアネットワーク）のルータスイッチ６０を介して動画配信サーバ４０に接続されると共に、インターネット６２を介してインターネット接続機能を備えるユーザ（複数）のＰＣ６３や携帯電話６４に接続されている。換言すると、この構成により、ＰＣ６３や携帯電話６４のユーザは、必要時にインターネット６２及びルータスイッチ６０を介してオリジナル動画作成装置２０や動画配信サーバ４０にアクセス可能に構成されている。
【００１５】
次に、図２及び図３は、図１のカラオケシステム１０中のそれぞれオリジナル動画作成装置２０及び映像配信サーバ４０の詳細構成を示す機能ブロック図である。
【００１６】
先ず、図２を参照してオリジナル動画作成装置２０の詳細について説明する。この好適実施例のオリジナル動画作成装置２０は、照明コントロール部２１、カメラ位置情報によるカメラコントロール部（以下、単にカメラコントロール部という場合もある）２２、編集動画作成部２３、編集動画表示部２４及びLogin/out（ログイン／ログアウト）管理部２５を含んでいる。そして、編集動画作成部２３は、その他の全ての部分２１、２２、２４及び２５に接続され、協働する。
【００１７】
一方、図３に示す如く、映像配信サーバ４０は、ユーザLogin/out管理部４１、ユーザ毎のファイル格納ディレクトリ４２及びリアルタイム動画再生ユーザへのアドレス割り当て部４３を含んでいる。
【００１８】
次に、図１乃至図３に示す本発明によるカラオケシステム１０を構成する各構成要素の主要機能を説明する。オリジナル動画作成装置２０は、カラオケ店等に設置され、歌い手が設定する条件に基づいて歌い手自身のオリジナルな動画を作成する。カラオケ通信装置３０は、歌い手の要求又は注文によりカラオケ配信サービス（図示せず）からのカラオケ用歌詞付き映像（画像）データを受信する。動画配信サーバ４０は、カラオケで歌唱する歌い手自身の映像及び音声（歌声）データを記録（録画・録音）してファイルとして格納すると共に登録されたユーザの要求に応じて配信する。
【００１９】
また、ユーザリモコン５１は、カラオケの歌い手によるオリジナル動画作成装置２０及びカラオケ通信装置３０を制御する。カメラ５２は、歌い手により予め設定された条件で歌い手やその観客の映像を撮影する。照明５３は、歌い手が予め行った設定に基づいてカメラ５２で撮影される際の照明（色及び明るさ等）をコントロールする。ディスプレイ５４は、カラオケ通信装置３０で受信した又はオリジナル動画作成装置２０で作成された画像やユーザに対する指示等を表示する。歌い手位置センサ５５は、後述する如く歌い手の位置情報を検出する。
【００２０】
次に、オリジナル動画作成装置２０において、照明コントロール部２１は、編集動画作成部２３からの命令（指令）を受け、照明の色、明るさ及び照明の当て方等を制御する。編集動画作成部２３は、ユーザから指定された照明の設定を照明コントロール部２１に命令する。カメラコントロール部２２は、歌い手が使用するマイクに内蔵されている歌い手位置センサ５５から歌い手のいる位置情報を受け取り、その位置にいる歌い手に向けてカメラ５２を合わせる。また、ユーザから観客（複数）の座席位置情報を受け取り、観客の位置にカメラ５２を合わせることも可能である。複数のカメラ５２を歌い手及び観客に向け、その撮影映像情報を編集動画作成部２３に出力する。マイクに内蔵された位置センサ５５は、部屋の複数位置（例えば、４箇所以上）に設置されたアンテナ（図示せず）と通信して、例えばＧＰＳ（全地球測位システム）と同様方法により３次元空間位置情報をＸ、Ｙ及びＺ座標で割り出す。従って、歌い手がカラオケルーム内を移動してもカメラ５２は歌い手に追従してその姿を撮影する。
【００２１】
編集動画作成部２３は、ユーザからのカメラ、照明及びアニメーション等の各種設定情報を受け取り、照明コントロール部２１及びカメラコントロール部２２に対して設定情報を命令する。また、編集動画作成部２３は、カメラ映像情報及び通信カラオケ装置３０から歌詞情報を受け取り、カメラ入力映像、各種アニメーション及び設定フレーム等を組み合わせて編集映像を作成する。この編集動画作成部２３が作成した動画は、編集動画表示部２４へ出力される。Login/out管理部２５は、ユーザ認証機能を提供する。ユーザのＩＤ及びパスワードは、映像配信サーバ４０に格納されているので、そのデータベースにアクセスして認証を行う。
【００２２】
次に、映像配信サーバ４０について説明する。ユーザLogin/out管理部（データベースを含む）４１は、ＵＲＬにアクセスしてきたＰＣ６３や携帯電話６４のユーザ（即ち、リモートユーザ）にＨＴＭＬ（ハイパーテキスト記述言語）画面を表示し、ＩＤ及びパスワードの入力を促す。カラオケの会員等のメンバーデータベースを含んでおり、リモートユーザの認証を行う。ユーザ毎のファイル格納ディレクトリは、カラオケの歌い手が歌唱中に撮影して作成されたオリジナル動画をユーザ（歌い手）毎にファイルとして格納する。リアルタイム動画再生ユーザへのアドレス割り当て部４３は、リアルタイム動画再生を選択したユーザに対し、ストリーミングファイルを受信できるオリジナル動画作成装置２０のグローバルＩＰアドレスを示すユーザ（複数）のＰＣ６３や携帯電話６４の電子メールアドレスにて連絡する。これにより、ユーザは要求する部屋（カラオケルーム）の様子や編集された動画をリアルタイムで受信可能にする。
【００２３】
次に、図１乃至図３に示すカラオケシステム１０の全体動作の概要を説明する。このカラオケシステム１０は、カラオケの歌い手が歌唱中の自己の映像及び音声（歌声）を含むオリジナル映像を動画で作成する「オリジナルカラオケ動画作成モード」及びカラオケで歌い、オリジナル動画ファイルとして録画した本人又は予め登録した他人がインターネットを介してアクセスして斯かるファイルを配信する「動画配信モード」で動作する。
【００２４】
先ず、「オリジナルカラオケ動画作成モード」の動作手順は次の通りである。
（１）先ず、ユーザリモコン５１を使用し、ディスプレイ５４に録画開始画面を表示させる。
（２）予め与えられたＩＤ（識別記号）及びパスワードを入力し、オリジナル動画作成装置２０にログインする。
（３）録画する際の、人の位置及び部屋（カラオケルーム）の図面（ソファ）の位置を選択する。
（４）動画のイメージを選択する。例えば、フレームや照明の色、アニメーション効果等を順に選択する。以下は「フレーム」、「照明」、「照明色」、「アニメーション」を順に選択する場合を例示する。
「フレーム」１：ラテン  ２：シック  ３：バラード  ４：女の子  ５：ＨＩＰＨＯＰ
「照明」１：派手  ２：効果なし  ３：さび時にスポット  ４：ノーマル
「照明色」１：青系  ２：赤系  ３：ノーマル
「アニメーション」１：ミッキー  ２：ドラエモン  ３：ブラッドピット  ４：なし
（５）従来のカラオケ予約方法でカラオケ予約を行い希望する歌（曲）を歌唱する。
（６）ディスプレイ５４に、設定した歌い手の動画及び歌詞を表示する。
（７）歌が終了すると、録画も終了する。
（８）後でＤＶＤ等の記録媒体に記録（又は録画）された録画ファイルを必要があればカラオケ店で受け取る。
【００２５】
次に、上述した「動画配信モード」の動作手順は次の通りである。
（１）映像配信サーバ４０のＵＲＬを指定する。
（２）ユーザのＩＤとパスワードを入力してログインする。
（３）カラオケ店でカラオケしている関係者（友人等）のグループＩＤ及びパスワードを入力してログインする。
（４）現在のグループ関係者の利用状況が表示され、「１：ストリーミング機能を利用する」又は「２：録画済みのファイルを再生する」を選択しサービスを得る。ここで、「ストリーミング機能」は、現在の部屋の様子又は編集された動画をリアルタイムで受信する。一方、「録画済みのファイルを再生する」は、1曲ずつ録画されたファイルを選択し、ダウンロードして再生する。但し、携帯電話ユーザには、携帯端末で再生可能な拡張子・サイズに変更されたファイルやリアルタイム映像が送信される。
【００２６】
次に、図４に示すフローチャートを参照して、本発明によるカラオケシステム１０の好適実施例の動作を、順序を追って詳細に説明する。
【００２７】
先ず、ユーザ７０がユーザリモコン５１（又はカラオケシステム１０の本体機器のボタン）を操作することによりスタート操作する（ステップＳ１）。これにより、ユーザリモコン５１は、オリジナル動画作成装置２０の編集動画作成部２３にスタート画面表示命令を出す（ステップＳ２）。この命令を受け、編集動画作成部２３は、編集動画表示部２４に対しスタート画面を表示させるよう命令し（ステップＳ３）、更に編集動画表示部２４はディスプレイ５４に命令どおり画面を出力表示する（ステップＳ４）。
【００２８】
次に、ユーザがユーザリモコン５１（又はボタン）の操作によりＩＤ及びパスワードを入力すると、編集動画作成部２３はＩＤ及びパスワードをLogin/out管理部２５に照会し、ログイン結果が成功か失敗かの情報を受け取る（ステップＳ５）。また、映像配信サーバ４０にもログインし、ユーザ毎のファイル格納ディレクトリ４２へのアクセスを許可するか否か判断する。Login後にリアルタイム動画配信サービスを使用するか否か、配信メンバの名前又は電子メールアドレスを入力する。入力された情報は映像配信サーバ４０に送信される（ステップＳ６）。
【００２９】
編集動画作成部２３は、編集するための必要情報をユーザに入力させるため、各項目の入力画面を編集動画表示部２４にて表示させる。この手順では、（１）観客位置情報、（２）フレーム、（３）照明、（４）アニメーション及び（５）歌詞の各項目を設定することとする。但し、通常では、本項目は並列に選択し入力可能。
【００３０】
ユーザは観客位置情報入力画面を選択し、編集動画作成部２３及び編集動画表示部２４は入力画面をディスプレイ５４に表示する。入力画面は、例えばカラオケルームの席のレイアウトを図で表示しており、席の位置をユーザが選択することで、ユーザ（複数）の在席位置を把握する。また、この位置情報入力画面では、席と共に在席している人の名前もオプションとして入力可能である。入力された位置情報は、編集動画作成部２３に保存され、保存された情報は次に設定が変更されるまで継続保存される。
【００３１】
次に、ユーザはフレーム情報入力画面を選択し、編集動画作成部２３及び編集動画表示部２４は入力画面をディスプレイ５４に表示する。入力画面は、カラオケ動画の画面フレームとして挿入する絵柄を表示しており、ユーザが好みの絵柄を選択可能にするか又は絵柄の挿入をしない設定をする。入力された情報は、編集動画作成部２３に保存され、保存された内容は次に設定が変更されるまで継続保存される。
【００３２】
ユーザは照明情報入力画面を選択し、編集動画作成部２３及び編集動画表示部２４は入力画面をディスプレイ５４に表示する。入力画面は、カラオケ中（歌っている間）にユーザに対して使用する照明５３に関する設定項目が表示される。照明のオン／オフ、照明５３がオンの場合の照明のコンビネーション類（例えば、華やか、シック、普通、ロック又は歌い手のみ）を選択する。入力された情報は、編集動画作成部２３に保存され、保存された内容は次に設定が変更されるまで継続保存される。
【００３３】
また、ユーザはアニメーション情報入力画面を選択し、編集動画作成部２３及び編集動画表示部２４は入力画面をディスプレイ５４に表示する。入力画面は、カラオケ動画の画面にアニメーションとして挿入する各動画を表示しており、ユーザが好みの動画を選択可能にするか又はアニメーションの挿入をしない設定をする。例えば、ミッキーマウス等のマスコットが１０秒程度画面の中で踊っている動画を選択することも可能である。入力された情報は、編集動画作成部２３に保存され、保存された内容は次に設定が変更されるまで継続保存される。
【００３４】
ユーザは歌詞情報入力画面を選択し、編集動画作成部２３及び編集動画表示部２４は入力画面をディスプレイ５４に表示する。入力画面は、カラオケ動画の画面に挿入する歌詞のフォント、サイズ、挿入位置、挿入のオン／オフの各選択項目を表示する。ユーザは好みの情報を入力し、入力された情報は、編集動画作成部２３に保存され、保存された内容は次に設定が変更されるまで継続保存される（ステップＳ７〜Ｓ９）。
【００３５】
ユーザによる上述したカラオケ前の各種編集設定が終了すると、ユーザはカラオケ通信装置３０にて曲番号を選択して入力する（ステップＳ１０）。カラオケ通信装置３０は、曲の前奏、サビ、間奏の間隔、タイムフレーム情報、曲毎にアレンジされた照明色、明暗設定を編集動画作成部２３に送信する（ステップＳ１１）。
【００３６】
カラオケ通信装置３０は、選択された曲の音楽をスタートさせる。上述した編集動画作成部２３に送信された設定情報に基づいてマイク位置情報によるカメラコントロール部２２は、マイクに内蔵の歌い手位置センサ５５及び上述した各設定の観客位置情報に基づいて曲に合わせてカメラ５２のカメラ角度を切り替え、その動画を編集動画作成部２３へ送信する（ステップＳ１２）。照明コントロール部２１は、選択された曲のカテゴリーや前奏、サビ等の情報をカラオケ通信装置３０から受け取り、それに基づいてスポットライト等の照明５３を動作させる（ステップＳ１３）。
【００３７】
ユーザがマイクから入力する音声（歌声）は、編集動画作成部２３に送信される。編集動画作成部２３は、受け取った動画、音声、上述の操作で設定した歌詞及びフレーム等の効果を合成して編集動画表示部２４及び映像配信サーバ４０へ送信する。編集動画表示部２４は、ディスプレイ５４に動画を出力する。映像配信サーバ４０は、受け取った動画をＭＰＥＧ等のファイルでユーザ毎のファイル格納ディレクトリ４２へ保存する（ステップＳ１４）。映像配信サーバ４０は、リアルタイム動画配信の利用が選択された場合には、保存ファイルの格納ディレクトリ４２へアクセス可能なＵＲＬを電子メールにて配信メンバへ送付する。
【００３８】
上述した電子メールを受け取った配信メンバは、このＵＲＬにＰＣ６３又は携帯電話６４からアクセスし、ＩＤ及びパスワードで認証を行う。この認証の成功後にWindows（登録商標） Media Player等の再生ソフトでＭＰＥＧファイルのストリーミング再生を行う。
【００３９】
ユーザは上述した曲番号の選択等の作業を繰り返し、順次カラオケサービスを行う。また、ユーザはカラオケサービス後（カラオケルームから退室後）に、店員がＤＶＤ等の記録媒体に録画した動画ファイル（ＭＰＥＧ等）を受け取ることが可能である。また、動画保存ＵＲＬも受け取り可能であり、後日ＰＣ６３又は携帯電話６４からファイルストリーミングサービス、ファイルダウンロードを行う。
【００４０】
上述の如く、本発明のカラオケシステムによると、「プリント倶楽部」のカラオケ動画版のサービスの提供が可能である。即ち、ユーザが希望する動画編集モードを選択し、カラオケ歌詞付きで自分が歌う姿と観客の姿を録画したオリジナル動画を得ることができる。また、このオリジナル動画の作成は、カラオケ店に備えられた撮影装置（カメラ）及びマイクに内蔵された歌い手位置センサにより、カメラが歌い手の位置に追従するので、カラオケ店員や観客の手を借りることなく完全に自動的に行うことができる。従来のカラオケ店では、歌うことが主目的で付加価値を与えられるサービスがカラオケ店にないが、本発明のカラオケシステム１０によると、カラオケ店がユーザにアピールできる付加価値を加えることができる。
【００４１】
また、インターネット６２の通信手段を介してカラオケ店にいないユーザも、カラオケを利用する関係者（仲間）の映像や音楽を楽しめる。カラオケ店は、独自の会員（メンバ）システムに本発明のカラオケシステム１０を導入することにより、高付加価値のサービスが提供できるので、それに対する収益を上げることが期待できる。
【００４２】
更に、ユーザはＤＶＤ等の記録媒体によりカラオケ利用中の自分（又は仲間）のオリジナル動画を保存し、後日楽しむことも可能である。ユーザは、自分のＤＶＤ等に録画されたオリジナル動画を仲間や友人に提供又は貸与することも可能である。ユーザ及びユーザ関係者は、インターネット経由でオリジナルカラオケ動画がダウンロードできるので、何時でもカラオケ動画を楽しむか又は仲間や友人に恰も名刺の如く利用することもできる。
【００４３】
以上、本発明によるカラオケシステムの好適な実施例の構成及び動作を詳述した。しかし、斯かる実施例は、本発明の単なる例示に過ぎず、何ら本発明を限定するものではないことに留意されたい。本発明の要旨や精神を逸脱することなく、特定用途に応じて種々の変形変更が可能であること、当業者には容易に理解できよう。
【００４４】
従って、本発明のカラオケシステムは、カラオケサービスを提供するカラオケ専門店（カラオケバーやカラオケボックス等）及びホテル、保養所、温泉施設等に付帯するカラオケ関連娯楽装置として広く利用可能である。
【図面の簡単な説明】
【００４５】
【図１】本発明によるカラオケシステムの好適な実施例の全体構成を示すブロック図である。
【図２】図１中のオリジナル動画作成装置の詳細構成を示す機能ブロック図である。
【図３】図１中の映像配信サーバの詳細構成を示す機能ブロック図である。
【図４】図１に示すカラオケシステムの動作を説明するフローチャートである。
【符号の説明】
【００４６】
１０  カラオケシステム
２０  オリジナル動画作成装置
３０  カラオケ通信装置
４０  映像配信サーバ
５１  ユーザリモコン
５２  撮影装置（カメラ）
５３  照明装置
５４  ディスプレイ（表示装置）
５５  歌い手位置センサ
６０  ルータスイッチ
６２  インターネット
６３  ＰＣ
６４  携帯電話
【図１】
2008286912.tif 000003
【図２】
2008286912.tif 000004
【図３】
2008286912.tif 000005
【図４】
2008286912.tif 000006